(57)【要約】  マスク本体（１）と、人の顔の少なくとも一部を覆うために該本体を取り付けそして固定するための手段（２）と、マスク本体（１）の裏側表面から伸びており、人の顔面の既知の指圧ポイントと一致させるために適合又は調節可能な複数の押圧ポイントからなる治療的美容マスク。
2007512051.tif 000002
【特許請求の範囲】
【請求項１】
（ａ）マスク本体と、
（ｂ）人の顔面の少なくとも一部を覆うために該本体を取り付け、そして固定するための手段と、
（ｃ）マスク本体の裏側表面から伸びており、人の顔面の既知の指圧ポイントと一致させるために適合又は調節可能な複数の受動的押圧ポイント、
からなる治療的美容マスク。
【請求項２】
該マスクは、人の顔面の眼及び鼻の領域を覆っている請求項１に記載されたマスク。
【請求項３】
該マスク本体は、モールド成形される請求項１に記載されたマスク。
【請求項４】
マスクが所定位置にある時、該押圧ポイントは顔面と接触するために半球体状の又は湾曲した外部表面を含んでいる請求項１のマスク。
【請求項５】
該マスク本体は複数の開口部の群を備えており、マスク内の各群は顔面の局所的な指圧領域に一致する場所に配置され、そのため所定位置にある時、マスクの中の開口部の群は顔面の局所的な指圧領域の上に横たわる請求項４に記載されたマスク。
【請求項６】
該押圧ポイントは、マスク上へこぶの装着を容易にするために半球体状の又は湾曲した外部表面の後ろから延びた装着部分を含んでいる請求項５に記載されたマスク。
【請求項７】
該本体は、弾力性のある材料で成形されている請求項１に記載されたマスク。
【請求項８】
該押圧ポイントは、マスクへ取り外し可能に取り付けられる請求項１のマスク。
【請求項９】
該本体は、眼の開口部付きで成形されており、かつ鼻の形状の部分を有する請求項１に記載されたマスク。
【請求項１０】
該押圧ポイントは、人の顔面の額及びほお骨上の選択された位置と一致する群にある請求項１ないし５のいずれかに記載のマスク。
【発明の詳細な説明】
【技術分野】
【０００１】
本発明は顔マスクに関し、そして特に人の健康及び幸福を改善するために使用されるマスクに関する。
【背景技術】
【０００２】
中国式指圧療法は、全身の機能障害を和らげる意図で局部の症状を治療することを介した全体的な方法により、身体の自己治癒能力にその効目があるため、何世紀もの間使用されている。
【０００３】
指圧療法は、身体の分枝している経線網へのアクセスを得るための堅固なそして着実な圧力で体内のキーポイントを刺激するプロセスである。
【０００４】
経線システムは身体の隅々まで分枝するしそして指圧ポイントを連結する目に見えないチャンネルのシリーズであり、そして局部的な効果が全身の隅々まで広がるのを許容する。
【０００５】
他の類似の治療は、以下の特許に記載されている。
・米国特許Ｎｏ．４１１７８３７
・米国特許Ｎｏ．３９７１３８７
・米国特許Ｎｏ．１６９２６６９
・米国特許Ｎｏ．２１９１０８０
・米国特許Ｎｏ．３２７９４６８
・米国特許Ｎｏ．５５２７３５７
【０００６】
先行特許文献を再検討することによって確かめられるように、様々な装置の形態は大抵複雑であり、そして多くの場合、安全に且つ効果的に使用されるために熟練した監督を必要とするであろう。
【０００７】
本発明の目的は、経済的なコストで有益な治療を提供する治療的な処置マスクを提供することである。
【０００８】
本発明のさらなる目的及び利点は、後に続く例示のみとして与えられる説明により明らかになるであろう。
【発明の開示】
【０００９】
本発明によれば、
（ａ）マスク本体と、
（ｂ）人の顔面の少なくとも一部を覆うために該本体を取り付け、そして固定するための手段と、
（ｃ）マスク本体の裏側表面から伸びており、人の顔面の指圧ポイントと一致させるために適合又は調節可能な複数の指圧ポイント、
を備える治療的な処置マスクが提供される。
【００１０】
好ましくは、マスクは人の顔面の眼及び鼻の領域を覆うように設計されるであろう。
【００１１】
マスク本体は、硬いかあるいは柔らかくできる。通常、マスクはそれが異なる使用者の顔の輪郭に適合するのを許容するためにプラスチック材料のような可撓性及び弾力性のある材料から製作されるであろう。好ましくは、マスク本体は複数の開口部の群を備えており、各群はマスク内の顔面の局部的な指圧領域に一致する場所に配置され、そのため所定の位置にある時、マスク内の開口部の群は顔面の局部的な指圧領域の上に横たわる。また、適当にはマスクは人の皮膚が“呼吸する”のを許容することができる。
【００１２】
開口部の群のそれぞれは、あるパターンに配置された多数の開口部を備えることができる。特に、パターンは押圧ポイントの取り付けを許容するように適合させることができる。
【００１３】
マスク本体は、モールド成形又は加工成形され得る。
【００１４】
典型的には、マスク本体は人の眼のための開口部を備え、そして人の鼻の上又は周りにフィットするように設計される。
【００１５】
通常、押圧ポイントは、それらの特定の位置が使用者に適するように調節することができるため、マスクへ取り外し自在に取り付けられるであろう。
【００１６】
押圧ポイントは、複数の金属又はプラスチックのこぶ、またはボールであってよい。典型的には、こぶ又はボールは半球体状の又は湾曲した外部表面を備えることができる。押圧ポイントのこぶは、人の顔面に適用される押圧量を増大又は減少するために湾曲の程度を変化させることができる。
【００１７】
押圧ポイントのこぶはプラスチック材料から製作することができ、そして通常は実質的に硬いであろう。典型的にはこぶは、マスク上へこぶの装着を容易にするために半球体状の又は湾曲した外部表面の後ろから延びた装着部分を含んでいるであろう。
【００１８】
こぶは、人の顔の額及びほお骨上の選択された位置と一致するふさをなしていることができる。こぶは、単一のこぶ、互いに隣接した２つのこぶ、またはふさ状の多数のこぶのような多様な形態で提供することができる。典型的には、各こぶは取付部分を備えるであろう。マスクは、指圧ポイント刺激体の特定の配置を通じて顔面内の３つの主な指圧領域を刺激することにより、指圧の原理で集中される。
【００１９】
マスクの使用は、顔の外観を改善するために顔面の特定の局部的な指圧領域に作用する。
【００２０】
これらの局部的なポイントを活性化することにより、総合的な皮膚コンディショニングを改善するために、経線系を介して身体全体の隅々にまで効果が促進される。
【００２１】
マスクの適用は、マスクへ装着された調節可能に治療的なこぶの特定の配置を介して、顔の領域におけるどんな局部的な筋肉のけいれんをも緩めるように作用するように働く。
【００２２】
筋肉の緊張を和らげることにより、顔の筋肉は弛緩することができ、そしてそれらの全長へ伸びることができる。
【００２３】
このプロセスは該領域への血液の流れを高め、そしてその作用は改善された血液循環を増進し、そしてこれはこの領域中のどのような毒性物質の除去及び蓄積防止を手助けする。
【００２４】
その上、領域の中の血液循環を増大することにより、顔の組織への酸素及び栄養素の供給が改善され、健康全体を高め、そして使用者の顔面の調子、きめ及び外観を改善させる。
【００２５】
マスクの主な利点は、アクネや顔の斑点を軽減することが経験される。
【００２６】
しばしば、ひどいアクネはストレス及び高められた緊張により悪化させられる。
【００２７】
マスクは、筋肉組織を和らげ、そして顔の調子を改善することによりアクネを減らすのを手助けする。
【００２８】
付随する血液の流れの増加は、アクネの再発を促進するかもしれない毒性の残余物をきれいにし、そして皮膚全体の健康を増進するのを手助けする。
【００２９】
典型的には、マスクは３つの指圧ポイントのその特異的活性化を介してこれらの効果を達成する。
【００３０】
１）ＳＴ２／４白色ポイント：このポイントは、眼咼より指１本の幅の下にあり、そして眼の瞳の部分の直下にある。このポイントの活性化は、アクネを和らげ、そして皮膚斑を除去する上記のプロセスにおいて重要な役割を果す。
２）ＳＴ３／顔の美容：このポイントは、ほお骨の基部でＳＴ２の直下に位置する。アクネを和らげ、そして斑の外観を改善するのに加えて、このポイントは、皮膚に若々しさと健康な輝きを与えるようにたるみをなくし、そして皮膚の調子を改善するのを助ける。
３）ＧＶ４．５／３番目の眼のポイント：このポイントは眼の間に直接位置し、そしてホルモンを分泌する下垂体腺の活性化及びリンクを介してアクネコントロールに重要な役割を有し、そして総合的な皮膚の状態を高めるのを手助けする。
【００３１】
治療的なこぶは、ステンレス鋼から製作することができる。
【００３２】
マスクは、この治療的顔マスクにより提供される利益を高める正確な押圧が常時確実に適用されるように、調節可能な弾性のあるストラップにより所定の位置に保持することができる。代りに他のストラップ、例えばベルクロ固定手段を用いたストラップは、異なる使用者に対して簡単で且つ迅速な調節を許容するために使用することができる。
【発明を実施するための最良の形態】
【００３３】
今や、本発明の局面が、添付した図面を参照して記載される。
【００３４】
本発明のマスクは、総体に矢印１により示された本体と、使用者の顔面の眼及び鼻の領域を覆うように本体を固定するための調節可能で弾性のあるストラップ２のような手段とからなる。
【００３５】
複数の押圧ポイント３は、マスク本体の裏側に固定される。
【００３６】
押圧ポイント３平面において実質的に楕円形状であり、そして湾曲した頂部表面４と平坦な下部表面５を有している金属製のこぶにより提供される。
【００３７】
こぶ３はスターリング銀、ステンレス鋼等で形成することができる。
【００３８】
こぶ３は、前に述べた特異的指圧ポイントに一致する場所Ａ，Ｂ及びＣでマスク本体の裏側に固定することができる。
【００３９】
こぶは場所Ａ及びＢでふさ状であってもよく、または図示されるように場所Ｃで間隔を空けられてもよい。
【００４０】
こぶ３は、ベルクロストリップ又は他の手段によりそれらの湾曲した頂部表面を最外側にしてマスクの裏面側に固定することができる。
マスク本体はモールド成形又は半剛直に成形することができる。
【００４１】
各こぶは、それらが顔面に適用されるポイントにおいて押圧を一段と強めるためのニップル６を備えることができる。
【００４２】
マスクを準備するために、使用者は最初に押圧が正確に指圧ポイントへ適用されるのを保証するように弾性又はベルクロストラップを調節する。押圧は堅固であるが、快適な押圧でなければならない。有益には、１日マスクは１〜５分間、しかしながら典型的には約２分適用される。マスクは、毎日適用されることが重要である。マスクは寝る前の夜に適用することができ、そしてそれはあなたのマスクが日課の一部となり、そして総合的な深いくつろぎを促進するのを高める。
【００４３】
使用者の顔面が押圧に慣れるようになると、押圧は弾性のある又はベルクロ製のストラップの使用により増加させることができる。
【図面の簡単な説明】
【００４４】
【図１】図１は、本発明の治療的マスクの正面図である。
【図２】図２および図２ａは、図１のマスクのためのこぶの平面及び側面図である。
【図１】
2007512051.tif 000003
【図２】
2007512051.tif 000004
【図２ａ】
2007512051.tif 000005
【国際調査報告】
2007512051.tif 000006
2007512051.tif 000007
2007512051.tif 000008